(57)【要約】【課題】河川や貯水池、ダム等の水位を計測するための量水標に付着した汚れや藻、コケを自動的に清掃する。【解決手段】量水標（１０）の両側に張設した一対のガイドワイヤ（１２）と、該ガイドワイヤをガイドとして前記量水標の表示面に当接しながら上下方向に移動可能な清掃具本体（１４）と、該清掃具本体に取り付けられ、水位の変動により清掃具本体を上下方向に移動させる浮力体（１６）と、を有し、前記清掃具本体は、一方が水面上に位置する上側清掃具本体（１４ａ）と他方が水面下に位置する下側清掃具本体（１４ｂ）とからなる。ここで前記清掃具本体等には、側方からの風や波を受ける風受け（２４）や波受け（２６）が設けられる。【選択図】  図２
2008026163.tif 000002
【特許請求の範囲】
【請求項１】
水位を目視により計測するために立設した量水標（１０）の両側に張設した一対のガイドワイヤ（１２）と、
該ガイドワイヤをガイドとして前記量水標の表示面に当接しながら上下方向に移動可能な清掃具本体（１４）と、
該清掃具本体に取り付けられ、水位の変動により清掃具本体を上下方向に移動させる浮力体（１６）と、を有し、
前記清掃具本体は、一方が水面上に位置する上側清掃具本体（１４ａ）と他方が水面下に位置する下側清掃具本体（１４ｂ）とからなる、ことを特徴とする量水標清掃装置。
【請求項２】
前記ガイドワイヤ（１２）は、前記浮力体（１６）を貫通した状態で取り付けられた中空の細管であるガイド管（１８）中を通り、前記清掃具本体（１４）は前記量水標（１０）の両側の前記ガイド管の上端同士および下端同士を水平に連結する連結材（２２）に取り付けられる、ことを特徴とする請求項１に記載の量水標清掃装置。
【請求項３】
水面上に位置する前記ガイド管（１８）、前記浮力体（１６）又は前記上側清掃具本体（１４ａ）には、側方からの風を受けて前記清掃具本体（１４）を水平方向に移動させる風受け（２４）が設けられている、ことを特徴とする請求項２に記載の量水標清掃装置。
【請求項４】
水面下に位置する前記ガイド管（１８）、前記浮力体（１６）又は前記下側清掃具本体（１４ｂ）には、側方からの波を受けて前記清掃具本体を水平方向に移動させる波受け（２６）が設けられている、ことを特徴とする請求項２に記載の量水標清掃装置。
【請求項５】
前記上側清掃具本体（１４ａ）と前記下側清掃具本体（１４ｂ）との間には、一対の前記ガイド管（１８）間に張設され、かつ、前記量水標（１０）の表示面に接触する線材である剥離ワイヤ（２８）が設けられている、ことを特徴とする請求項２乃至４のいずれか一項に記載の量水標清掃装置。
【請求項６】
毛細管現象を利用して前記量水標（１０）の表示面を湿潤させる湿潤機構（３２）を設けた、ことを特徴とする請求項１乃至５のいずれか一項に記載の量水標清掃装置。
【発明の詳細な説明】
【技術分野】
【０００１】
本発明は河川や貯水池、ダム等の水位を計測するための量水標に付着した汚れや藻、コケを自動的に清掃して、汚れ等の付着による量水標の目盛りの読み取り間違いの発生や目盛りが読み取りづらくなることを防止するために用いられる量水標清掃装置に関する。
【背景技術】
【０００２】
従来より河川や貯水池、ダム等にはその水量（水位）を計測するための量水標が設置されることが多い。なお貯水池やダム等では水位を自動的に計測する水位計が設けられることも多いが、水位計の計測値が実際の水位と相違ないかを確認するために、やはり量水標が設置されるのが一般的である。
【０００３】
ここで量水標の表示面は、水量や風雨などの気象条件による泥等の汚れの付着や水位の上昇下降による水面の藻の付着、コケの発生等により、その視認性が次第に低下してくるため定期的に清掃する必要がある。
一般的な清掃作業としては、作業員が船を用いて量水標に接近したり、ダムの堤上から命綱等を使用して量水標に接近し、清掃具を用いて手作業で汚れ、藻、コケ等を除去している。このように量水標への接近やその他の準備を含めた清掃作業には一定の時間を要し作業員の負担を増大させるだけでなく、命綱を使用する場合などには、転落等の危険を伴うといった問題があった。
【０００４】
量水標の清掃作業を簡略化するものとしては、例えば特許文献１のように、水位を計測するための目盛りを付したスケールと、ダム等の壁面に設置されたスケールを上方に引き抜き可能に支持する帯板柱とから構成される「量水標」がある。この考案では、上方からのスケールの引き抜き、スケール表面の汚れ等の除去、および帯板柱へのスケールの再設置という一連の清掃作業により、清掃作業に要する時間を短縮することを可能としている。また命綱を用いるような作業を減らし、リスクを低減することで作業員の安全確保を図ろうとしている。
【特許文献１】実開平５−８４８３０号公報
【発明の開示】
【発明が解決しようとする課題】
【０００５】
しかしながら、上記考案ではかかる量水標によって作業時間を短縮しリスクを低減することができるものの、結局作業員が量水標の表示面に付着した汚れを除去するための清掃作業を手作業で行うことには変わりなく、清掃作業の負担を十分に軽減できるものではないといった問題があった。なお量水標の清掃作業を、個々の量水標に電動式のモータブラシなどを取り付けることとで自動化することは可能であるが、設置場所の条件や電源確保の問題およびコスト面の問題から実際にはその採用は困難である。
【０００６】
本発明は上記問題点を解決するためになされたもので、その目的は、量水標の表示面に付着した汚れ等を電気を用いることなく自動的に除去することができる、構造が単純で製造コストも安い量水標清掃装置を提供することにある。
【課題を解決するための手段】
【０００７】
上記問題を解決するため本発明の量水標清掃装置は、水位を目視により計測するために立設した量水標（１０）の両側に張設した一対のガイドワイヤ（１２）と、該ガイドワイヤをガイドとして前記量水標の表示面に当接しながら上下方向に移動可能な清掃具本体（１４）と、該清掃具本体に取り付けられ、水位の変動により清掃具本体を上下方向に移動させる浮力体（１６）と、を有し、前記清掃具本体は、一方が水面上に位置する上側清掃具本体（１４ａ）と他方が水面下に位置する下側清掃具本体（１４ｂ）とからなる、ことを特徴とする。
【０００８】
ここで前記ガイドワイヤ（１２）は、前記浮力体（１６）を貫通した状態で取り付けられた中空の細管であるガイド管（１８）中を通り、前記清掃具本体（１４）は前記量水標（１０）の両側の前記ガイド管の上端同士および下端同士を水平に連結する連結材（２２）に取り付けられる、ようにすることが好ましい。
【０００９】
また、水面上に位置する前記ガイド管（１８）、前記浮力体（１６）又は前記上側清掃具本体（１４ａ）には、側方からの風を受けて前記清掃具本体（１４）を水平方向に移動させる風受け（２４）が設けられているか、水面下に位置する前記ガイド管（１８）、前記浮力体（１６）又は前記下側清掃具本体（１４ｂ）には、側方からの波を受けて前記清掃具本体を水平方向に移動させる波受け（２６）が設けられている、ようにすることも好ましい。
【００１０】
さらに、前記上側清掃具本体（１４ａ）と前記下側清掃具本体（１４ｂ）との間には、一対の前記ガイド管（１８）間に張設され、かつ、前記量水標（１０）の表示面に接触する線材である剥離ワイヤ（２８）が設けられている、ようにすることもできる。
【００１１】
また、毛細管現象を利用して前記量水標（１０）の表示面を湿潤させる湿潤機構（３２）を設ける、ことも好ましい。
【発明の効果】
【００１２】
本発明の量水標清掃装置は、量水標の両側に張設したガイドワイヤをガイドとし、浮力体に取り付けた清掃具本体を水位の上昇下降等の変動を利用して上昇下降させることで、量水標の表示面に付着した汚れ、藻、コケ等を自動的、かつ、効率的に除去するものである。ここで、量水標の表示面に当接するブラシなどの清掃具本体を水面の上側および下側に配置することで、汚れ等の除去をより効率的に除去することが可能となる。
【００１３】
ここで清掃具本体を、浮力体を貫通した状態で取り付けられ、かつ、ガイドワイヤが軸通する量水標の左右両側のガイド管を水平方向に連結する連結材に取り付けることで、清掃具本体の上昇及び下降を円滑に行わせ、また、清掃具本体を安定して量水標の表示面に当接させて汚れ等の除去をより確実に行わせることができる。
【００１４】
またガイドワイヤをある程度のゆとりをもって張設し、ガイド管、浮力体または清掃具本体に風受け（水面より上側に配置）や波受け（水面より下側に配置）を設けることで、風や波の外力を利用して清掃具本体を水平方向（左右方向）にも揺り動かすことができる。これにより、清掃具本体による量水標表示面からの汚れ等の除去をより一層効果的に行うことが可能となる。
【００１５】
さらに、上側清掃具本体と下側清掃具本体との間において、左右一対のガイド管の間に剥離ワイヤを張設し、この剥離ワイヤによって量水標の表示面を擦ることで、量水標の表示面に固着した汚れ等の清掃具本体による除去を容易化することができる。
【００１６】
また毛細管現象を利用して量水標の表示面を湿潤させる湿潤機構を設けることで、乾燥して量水標の表示面に固着した汚れ等を湿潤させて清掃具本体によるその除去を容易化することができる。
【発明を実施するための最良の形態】
【００１７】
本発明の量水標清掃装置は、河川や貯水池、ダム等の水位を計測するための量水標に付着した汚れや藻、コケを自動的に清掃して、汚れ等の付着による量水標の目盛りの読み取り間違いや目盛りが読み取りづらくなることを防止するためのものである。
【００１８】
本発明の量水標清掃装置が取り付けられる量水標は、幅が１０ｃｍ程度、長さが１ｍ（標準）の平板棒状の合成樹脂や金属の部材の表面に、水位を計測するための目盛りを印刷等の手段によって付したものであり、目盛りが付された表示面は凹凸のない平面となっている。量水標は河川や貯水池、ダム等の低部からの水位は、水面が量水標の目盛りのどの位置に達しているかを目視することで知ることができる。
【実施例１】
【００１９】
図１は本実施例の量水標清掃装置をダム壁面に配設された量水標に取り付けた状態を示した正面図、図２は本実施例の量水標清掃装置の斜視図、図３は本実施例の量水標清掃装置の側面図である。
【００２０】
図１乃至図３に示すように、この量水標清掃装置２０は、量水標１０の上方に位置する上側取付板３１ａおよび下方に位置する下側取付板３１ｂと、上側取付板３１ａ及び下側取付板３１ｂにその端部が締結されて張設されるガイドワイヤ１２と、ガイドワイヤ１２を内部に通す中空の細管であるガイド管１８と、一対のガイド管１８の上端同士および下端同士を水平に連結する連結材２２と、ガイド管１８が貫通した状態で取り付けられた浮力体１６と、連結材２２に取り付けられたブラシである清掃具本体１４とから構成されている。
【００２１】
上側取付板３１ａおよび下側取付板３１ｂは同一形状をしており、金属製又は合成樹脂製の長方形平板の一つの面に、後述するガイドワイヤ１２を締結するための２つの締結金具３３を長手方向の端部近傍に並べて固定したものである。
上側取付板３１ａは、ダム壁面３５にほぼ垂直に取り付けられた量水標１０の上方１０ｃｍ程度の位置に、量水標の上端部に被さるようにしてダム壁面に固定されている。下側取付板３１ｂも量水標１０の下方１０ｃｍ程度の位置に、量水標の軸線が下側取付板の中心にくるようにしてダム壁面３５に固定されている。ここで上側取付板３１ａおよび下側取付板３１ｂは、その締結金具３３同士が垂直方向に向き合うように配設されている。
【００２２】
ガイドワイヤ１２は、耐腐食性を有する例えばステンレス製の直径が０．５ｍｍ程度の強靭な鋼線であり、対向する上側取付板３１ａおよび下側取付板３１ｂの各締結金具３３にその端部が締結されて、所定の張力で量水標１０の両側にこれに平行に張設されている。ここで所定の張力とは、側方から指先でガイドワイヤ１２を若干撓ませることができる程度の張力を意味する。
【００２３】
ガイド管１８は、例えばステンレス製の内径が１ｍｍ程度、長さが３０ｃｍ程度の真っ直ぐな中空管であり、ガイドワイヤ１２をその内部に軸通し、ガイドワイヤに沿って垂直方向に自由に摺動することができるようになっている。
また一対のガイド管１８の上端同士および下端同士は、水平方向に伸びる長さ２０ｃｍ程度の２本の連結材２２によって連結されている。すなわち垂直方向に伸びるガイド管１８と水平方向に伸びる連結材２２とは、一体として四角い枠を形成している。連結材２２は例えばステンレス製の丸棒であり、連結材２２と量水標１０の表示面との間には一定の空隙が形成されるようになっている。
【００２４】
浮力体１６は、例えば直径８ｃｍ、長さ２０ｃｍ程度の塩化ビニールを主たる材料とする円柱状フロートに発砲スチロールを充填したものであり、その中心軸部分にはガイド管１８が貫通するように固定されている。
【００２５】
清掃具本体１４は連結材２２に固定されて取り付けられたブラシであり、連結材２２と量水標１０の表示面との間に形成された一定の空隙において、ブラシの毛先が量水標１０の表示面に押圧されるようになっている。清掃具本体１４は上下の連結材２２にそれぞれ取り付けられており、上側清掃具本体１４ａは水面上方に、下側清掃具本体１４ｂは水面下方に配置されるようになっている。
【００２６】
以上のように構成された本実施例の量水標清掃装置２０では、水位の上昇又は下降に応じて浮力体１６が上下方向に移動することにより、清掃具本体１４は浮力体１６とともに、量水標１０の表示面に当接した状態で上下方向に移動する。このような清掃具本体１４の上下方向の移動により量水標１０の表示面に付着した汚れ、藻、コケ等を自動的に除去することが可能となる。
なお上側清掃具本体１４ａおよび下側清掃具本体１４ｂの２つのブラシ、すなわち濡れたブラシと乾いたブラシを用いて量水標１０の表示面を擦ることで、汚れ等の除去をより効率的に行うことができる。
またガイドワイヤ１２およびガイド管１８を用いることで、清掃具本体１４の支持を安定して行うことができ、また、河川などにおいて雑草や枯葉がガイドワイヤ１２に引っ掛かった場合などにも、その抵抗が少なくガイドワイヤ１２に沿ったガイド管１８の移動の妨げを軽減することができる。
【実施例２】
【００２７】
図４に実施例２の量水標清掃装置の斜視図を示した。なお本実施例において実施例１と同様の構成については同様の符号を付することで、重複する説明を省略する。
【００２８】
実施例２の量水標清掃装置２０は、実施例１で説明した量水標清掃装置の各ガイド管１８の上端部に、主として側方からの風を受けるための風受け２４を、各ガイド管１８の下端部に、主として側方からの波を受けるための波受け２６を設けたものである。
【００２９】
この風受け２４は縦横の各辺が１０ｃｍ程度の長方形の金属板であり、その底辺の中央が、ガイド管１８の上端部、すなわちガイド管１８と上側の連結材２２との接合部分に、量水標１０の表示面と風受け２４とがほぼ直角をなすようにロウ付け等によって取り付けられている。
また波受け２６も同様に縦横の各辺が１０ｃｍ程度の長方形の金属板であり、その上辺の中央が、ガイド管１８の下端部、すなわちガイド管１８と下側の連結材２２との接合部分に、量水標１０の表示面と波受け２６とがほぼ直角をなすようにロウ付け等によって取り付けられている。
なおこの風受け２４および波受け２６の取り付け位置は、ガイド管１８に限られず、浮力体１６や清掃具本体１４などにしてやってもよい。また風受け２４および波受け２６は、そのいずれか一方のみをガイド管１８等に取り付けてやることも勿論可能である。
ここで本実施例においてガイドワイヤ１２は、実施例１のガイドワイヤ１２と比して若干ゆとりをもって張設されている。
【００３０】
本実施例の量水標清掃装置２０によれば、ガイドワイヤ１２をある程度のゆとりをもって張設し、ガイド管１８、浮力体１６または清掃具本体１４に、風受け２４や波受け２６を設けることで、水面より上側に配置した風受け２４が、主として側方からの風を受けることで風の力によって清掃具本体１４を水平方向に揺り動かし、また、水面より下側に配置した波受け２６が、主として側方からの波を受けることで波の力によって清掃具本体１４を水平方向に揺り動かす。これにより水位の上昇又は下降に伴う上下方向の清掃具本体１４の上下移動による汚れ等の除去だけでなく、清掃具本体１４の水平方向の移動（揺れ）によっても量水標１０の表示面に付着した汚れ等を除去することができる。
【実施例３】
【００３１】
図５に実施例３の量水標清掃装置の斜視図を示した。なお本実施例において実施例１と同様の構成については同様の符号を付することで、重複する説明を省略する。
【００３２】
実施例３の量水標清掃装置２０は、実施例１で説明した量水標清掃装置に、量水標１０の表示面に固着した汚れを引き剥がすための剥離ワイヤ２８と、量水標１０の表示面を湿潤させるための湿潤機構３２を設けたものである。
【００３３】
剥離ワイヤ２８は、合成樹脂や金属製の線材であり、その両端を、対をなす各ガイド管１８のほぼ中央部に、浮力体１６を貫通して状態で締結することで水平方向に張設されている。すなわち剥離ワイヤ２８は、上側清掃具本体１４ａと下側清掃具本体１４ｂとの間に、これらと平行して張設されている。またこの剥離ワイヤ２８は、量水標１０の表示面に線接触するように張設されている。すなわち剥離ワイヤ２８は、水位の変動に伴う浮力体１６や清掃具本体１４の上下方向移動や風や波の影響による浮力体１６や清掃具本体１４の水平方向移動によって量水標１０の表示面を擦ることとなる。
なお量水標１０の表示面を凸面となるように湾曲して形成し、剥離ワイヤ２８がこれに弧状に押し付けられるようにしてやれば、量水標１０の表示面への剥離ワイヤ２８の密着度が向上することとなる。
【００３４】
湿潤機構３２は、一端側が浮力体１６を貫通して水中に達し、他端側が上側清掃具本体１４ａに取り付けられた樹脂製の柔軟なチューブから構成されている。このチューブは十分細いため、毛細管現象により吸い上げられた水が上側清掃具本体１４ａまで導かれ、そこから滴下することで量水標１０の表示面を湿潤させる。なお図面ではチューブ（湿潤機構３２）が1本のみ示されているが、複数本のチューブを用いることも勿論好ましい。
【００３５】
本実施例の量水標清掃装置２０によれば、剥離ワイヤ２８により量水標１０の表示面をいったん擦ることで、そこに付着した汚れ等の清掃具本体１４による除去を容易化することができる。また湿潤機構３２により量水標１０の表示面を湿潤させることで、量水標の表示面に付着した汚れ等の乾燥による固着を防止し、また、いったん乾燥して固着してしまった汚れ等もこれを軟化させ清掃具本体１４や剥離ワイヤ２８による除去を容易化することができる。
【００３６】
以上説明したように、本発明の量水標清掃装置によれば、河川や貯水池、ダム等の水位を計測する量水標の表示面に付着した汚れや藻、コケを水位の変動を利用することで自動的に除去することができ、量水標の目盛りの読み取り間違いなども防止することができる。また本発明の量水標清掃装置は構造が単純であるため低コストで製造することができる。
【００３７】
なお本発明の量水標清掃装置の形状および取付位置等は、上述した実施例に記載したものに限られず発明の趣旨を逸脱しない範囲で適宜変更することができるのは勿論である。
【産業上の利用可能性】
【００３８】
本発明の量水標清掃装置は、壁面に取り付けられた量水標の表示面を清掃具本体であるブラシで擦ることでこれに付着した汚れ等を除去するものであるが、清掃の対象は量水標に限られず、例えば水位を計測するための目盛りが直接描画された壁面や橋の橋脚などにも適用することが可能である。
【図面の簡単な説明】
【００３９】
【図１】ダム壁面に配設された量水標に量水標清掃装置を取り付けた状態を示した正面図である。
【図２】実施例１の量水標清掃装置を適用した量水標の斜視図である。
【図３】実施例１の量水標清掃装置の側面図である。
【図４】実施例２の量水標清掃装置を適用した量水標の斜視図である。
【図５】実施例３の量水標清掃装置を適用した量水標の斜視図である。
【符号の説明】
【００４０】
１０  量水標
１２  ガイドワイヤ
１４  清掃具本体
１４ａ  上側清掃具本体
１４ｂ  下側清掃具本体
１６  浮力体
１８  ガイド管
２０  量水標清掃装置
２２  連結材
２４  風受け
２６  波受け
２８  剥離ワイヤ
３１ａ  上側取付板
３１ｂ  下側取付板
３２  湿潤機構
３３  締結金具
３５  ダム壁面
【図１】
2008026163.tif 000003
【図２】
2008026163.tif 000004
【図３】
2008026163.tif 000005
【図４】
2008026163.tif 000006
【図５】
2008026163.tif 000007